(57)【特許請求の範囲】
【請求項１】
少なくとも入出力装置及びＷＷＷブラウザを有する契約先クライアントの端末と、
少なくとも入出力装置及びＷＷＷブラウザを有する契約元クライアントの端末と、
電子商取引の決済を行う決済処理機関と、
省エネルギー装置及びその取付サービスを含む商品／サービスを提供し、少なくとも入出力装置及び商品／サービス／登録／更新部を有する商品／サービス提供クライアントの端末と、
電子契約仲介サーバとがネットワークで相互に接続されており、
前記電子契約仲介サーバは、ＷＷＷサーバと、商品／サービス登録部と、前記省エネルギー装置の名称、価格等の情報と、その取付サービスの時間／価格情報等が格納される省エネ商品データベースと、前記省エネルギー装置以外のいわゆる通常の販売商品の名称、価格等の情報が格納される通常商品データベースと、前記省エネルギー装置の販売及び取付けサービス以外のいわゆる通常の販売サービスの名称、価格等の情報が格納される通常サービスデータベースと、パラメータ解析部、データ検索／統合部及び契約内容作成部を有する契約処理部と、前記契約先クライアントの端末からの契約見積要求に応じて種々の表示情報を生成する表示情報生成部とで構成され、
前記契約元クライアントと前記契約先クライアントとの間で、前記電子契約仲介サーバを介して前記省エネルギー装置及びその取付サービスに対するリース／クレジット／ローン及び／又はレンタル（以下「リース等」という。）を行うと同時に、該リース等により導入される前記省エネルギー装置の稼動により期待される光熱費／燃料費の予定削減額に相当する金額の範囲で契約可能な前記通常の販売商品及び／又はサービスに対するリース等の契約の仲介を行う、電子契約仲介システムであって、
前記契約先クライアントの端末からの契約要求により、前記電子契約仲介サーバ内の前記商品／サービス登録部、前記表示情報生成部、前記省エネ商品データベース及び契約処理部が、
少なくとも３ヶ月以上の月々の光熱使用量及び／又は燃料使用量を収集する手段と、
前記収集された光熱使用量及び／又は燃料使用量から、前記省エネルギー装置を使用したときの月毎の前記光熱費／燃料費予定削減額及び前記リース等の契約予定期間内の削減総額Ｃを演算するとともに、前記省エネ商品データベースから前記省エネルギー装置代金Ａ及び前記取付サービス価格Ｂを抽出する手段と、
前記削減総額Ｃを超えない範囲で、前記通常の販売商品及び／又はサービスに対するリース等の予定総額Ｄを設定する手段と、
前記リース等の予定総額Ｄで契約可能な前記通常の販売商品及び／又はサービス内容を予め記憶している前記通常商品データベース及び／又は前記通常サービスデータベースから抽出して提示する手段と、
を備え、
前記契約先クライアントの端末により、前記提示された通常の販売商品及び／又はサービス内容から所望の商品／サービスが特定されると、契約内容が前記契約元クライアントの端末に送信され、
前記契約元クライアントの端末は、前記契約処理部から前記契約内容が送信されると、前記商品／サービス提供クライアントの所定の前記決済処理機関の口座に、前記特定された通常の販売商品及び／又はサービスの契約代金に、前記省エネルギー装置代金Ａ及び前記取付サービス価格Ｂを含めた代金を一括して振込処理し、かつ、前記契約先クライアントの指定の前記決済処理機関の口座から、前記契約予定期間に亘り毎月、月毎の契約金額を引き落とす処理を実行することを特徴とする、リース等の電子契約仲介システム。
【請求項２】
前記省エネルギー装置及びその取付サービスが、照明器具のインバータ駆動装置とその取付作業、マイクロガスタービン発電機とその取付作業、冷暖房装置とその取付作業、電流バランサーとその取付作業、契約電力の変更用装置とその取替作業、ガス流量の低減装置とその取付作業、水道流量の低減装置とその取付作業、車両用燃料の効率化装置とその取付作業の少なくとも１つを含む請求項１に記載のリース等の電子契約仲介システム。
【請求項３】
前記通常の販売商品及び／又はサービス内容が、宝石販売、健康増進機器、介護用品、ヨットを含む船舶、コンピュータ、ソフトウエア、自動車を含む車両、電気製品、携帯電話、建物、不動産、警備サービス、インターネット接続サービス、介護サービス、旅行サービス、保守サービス、家賃の少なくとも１つを含む請求項１又は２に記載のリース等の電子契約仲介システム。
【発明の詳細な説明】
【０００１】
【発明の属する技術分野】
この発明は、リース／クレジット／ローン及び／又はレンタル約の電子契約仲介システムに関する。
【０００２】
【従来の技術】
従来、中小企業等では、月毎に、店舗の照明／冷暖房等で、販売用に所定の金額の光熱費／燃料費等のいわゆる人件費を除いた固定費を、各店舗毎に支出している。かかる光熱費／燃料費等を削減するため、いわゆる省エネルギー装置を購入し、取付作業料金まで含めた総額でリース／クレジット／ローン及び／又はレンタルの契約を締結し、光熱費／燃料費を削減することも一般に実施されている。例えば、１例として、２０万円相当の電力エネルギー削減装置は、６０ヶ月のリース契約では、月々の支払額が、約２０００円となっている。そして、かかる省エネルギー装置を利用すると、通常、月々、約５千〜１０千円の電気代金の節約効果が実現できている。また、上述の光熱費／燃料費以外に、コンピュータや自動車等の商品の購入や、インターネット等の通信サービス、損害保険、旅行、介護サービス等を、リース／クレジット／ローン及び／又はレンタルの契約を締結し、利用することも一般に実施されている。例えば、１例として、警備会社によるセキュリティイサービスの場合、９０万円相当のサービス契約では、６０ヶ月のリース契約で、月々の支払額が、約１５千円となっている。しかして、上述の省エネルギー装置の購入及び取付作業を実施する業者と、コンピュータや自動車等の商品を販売する業者や、インターネット等の通信サービス、損害保険、旅行、介護サービス等のサービス提供業者とは、一般に、異なっており、省エネルギー装置の購入及び取付作業を含むサービスと、コンピュータや自動車等の商品利用サービス、または、通信サービス／損害保険／旅行／介護サービス等のサービスとを、同時に利用する場合には、一般に、リース／クレジット／ローン及び／又はレンタルの契約金の総額は、それぞれのサービス利用額を加算した金額（上記例では、約１７千円／月）に近い金額で、契約が締結されることが一般的であった。
【０００３】
【発明が解決しようとする課題】
しかしながら、上述の省エネルギー装置の購入及び取付作業を含むサービスと、コンピュータや自動車等の商品利用サービス、または、通信サービス／旅行等のサービスとを、同時に利用する場合、リース／クレジット／ローン及び／又はレンタルの契約金の総額が、それぞれのサービス利用額を加算した金額に近い金額では、積極的にかかる契約を締結する中小企業者は、非常に少ないという問題点となっていた。また、少しでも当面の支出を少なくしたい中小企業者は、上述の省エネルギー装置の購入及び取付作業を含むサービスを利用することも、非常に少ないという問題点となってもいた。さらに、リース／クレジット／ローン及び／又はレンタルの契約元の会社では、通常、リース／クレジット／ローン及び／又はレンタルの契約先の会社の与信管理を適切に実行して、支払不履行となるリスクを最小限に抑えることが、最大の課題となっている。一方、少しでも当面の支出を少なくしたい中小企業者に対して、上述の省エネルギー装置の提供及び取付作業を含むサービスを提供する企業は、少しでも多くの中小企業にかかる省エネルギーサービスを提供したいという問題点を持っていた。この発明は上述のような事情に鑑みてなされたものであり、この発明の目的は、少しでも当面の支出を少なくしたい中小企業者には、追加の出費を極力抑えて省エネルギー装置の購入及び取付作業を含むサービスの利用を可能とし、さらに、エネルギー費用の削減額と同程度の額の付加サービスの利用も可能とし、省エネルギー装置の提供及び取付作業を含むサービスを提供する企業には、より多くの顧客を獲得／紹介でき、リース／クレジット／ローン及び／又はレンタルの契約元の会社には、安全／確実にリース契約等の獲得が可能な、リース／クレジット／ローン及び／又はレンタルの電子契約仲介システムを提供することにある。
【０００４】
【課題を解決するための手段】
本発明はリース／クレジット／ローン及び／又はレンタルの電子契約仲介システムに関し、本発明の上記目的は、少なくとも入出力装置及びＷＷＷブラウザを有する契約先クライアントの端末と、少なくとも入出力装置及びＷＷＷブラウザを有する契約元クライアントの端末と、電子商取引の決済を行う決済処理機関と、省エネルギー装置及びその取付サービスを含む商品／サービスを提供し、少なくとも入出力装置及び商品／サービス／登録／更新部を有する商品／サービス提供クライアントの端末と、電子契約仲介サーバとがネットワークで相互に接続されており、
前記電子契約仲介サーバは、ＷＷＷサーバと、商品／サービス登録部と、前記省エネルギー装置の名称、価格等の情報と、その取付サービスの時間／価格情報等が格納される省エネ商品データベースと、前記省エネルギー装置以外のいわゆる通常の販売商品の名称、価格等の情報が格納される通常商品データベースと、前記省エネルギー装置の販売及び取付けサービス以外のいわゆる通常の販売サービスの名称、価格等の情報が格納される通常サービスデータベースと、パラメータ解析部、データ検索／統合部及び契約内容作成部を有する契約処理部と、前記契約先クライアントの端末からの契約見積要求に応じて種々の表示情報を生成する表示情報生成部とで構成され、
前記契約元クライアントと前記契約先クライアントとの間で、前記電子契約仲介サーバを介して前記省エネルギー装置及びその取付サービスに対するリース／クレジット／ローン及び／又はレンタル（以下「リース等」という。）を行うと同時に、該リース等により導入される前記省エネルギー装置の稼動により期待される光熱費／燃料費の予定削減額に相当する金額の範囲で契約可能な前記通常の販売商品及び／又はサービスに対するリース等の契約の仲介を行う、電子契約仲介システムであって、
前記契約先クライアントの端末からの契約要求により、前記電子契約仲介サーバ内の前記商品／サービス登録部、前記表示情報生成部、前記省エネ商品データベース及び契約処理部が、
少なくとも３ヶ月以上の月々の光熱使用量及び／又は燃料使用量を収集する手段と、
前記収集された光熱使用量及び／又は燃料使用量から、前記省エネルギー装置を使用したときの月毎の前記光熱費／燃料費予定削減額及び前記リース等の契約予定期間内の削減総額Ｃを演算するとともに、前記省エネ商品データベースから前記省エネルギー装置代金Ａ及び前記取付サービス価格Ｂを抽出する手段と、
前記削減総額Ｃを超えない範囲で、前記通常の販売商品及び／又はサービスに対するリース等の予定総額Ｄを設定する手段と、
前記リース等の予定総額Ｄで契約可能な前記通常の販売商品及び／又はサービス内容を予め記憶している前記通常商品データベース及び／又は前記通常サービスデータベースから抽出して提示する手段と、を備え、
前記契約先クライアントの端末により、前記提示された通常の販売商品及び／又はサービス内容から所望の商品／サービスが特定されると、契約内容が前記契約元クライアントの端末に送信され、
前記契約元クライアントの端末は、前記契約処理部から前記契約内容が送信されると、前記商品／サービス提供クライアントの所定の前記決済処理機関の口座に、前記特定された通常の販売商品及び／又はサービスの契約代金に、前記省エネルギー装置代金Ａ及び前記取付サービス価格Ｂを含めた代金を一括して振込処理し、かつ、前記契約先クライアントの指定の前記決済処理機関の口座から、前記契約予定期間に亘り毎月、月毎の契約金額を引き落とす処理を実行することを特徴とする、リース等の電子契約仲介システムにより達成される。
【０００５】
【発明の実施の形態】
以下、図面に基づいて、この発明の好適な実施例について詳細に説明する。図１は、この発明の電子契約仲介システム全体のシステム構成の１例を示す図であり、電子契約仲介システムは、契約先クライアント１、電子契約仲介サーバ２、商品／サービス提供クライアント３、契約元クライアント４、決済処理機関５ａ，５ｂ等のハードウェアから構成され、これらはネットワーク９で物理的に接続されている。尚、以下の説明では、契約先クライアント１、電子契約仲介サーバ２、商品／サービス提供クライアント３、契約元クライアント４、決済処理機関５ａ，５ｂ等を接続するネットワーク９はインターネットであるものとして説明する。先ず、契約先クライアント１は、中小企業等で省エネルギー機器を導入しようとする際に、リース／クレジット／ローン及び／又はレンタルの電子契約仲介サービスに利用される端末であり、例えば、パーソナルコンピュータやラップトップコンピュータにより実現され、契約先の中小企業ユーザの所で操作される入出力装置１１及びＷＷＷブラウザ１０を具え、具体的には、入出力装置１１は、キーボード、マウス等の入力装置、並びに、ＣＲＴ表示手段／液晶表示手段等の出力装置により実現される。また、契約先クライアント１は、電子契約仲介サーバ２との間のインタフェースとしてＷＷＷブラウザ１０を有し、パーソナルコンピュータ等では、ＷＷＷブラウザ１０は、通常、そのメモリに格納されるプログラムとして実現されるようになっている。次に、商品／サービス提供クライアント３は、入出力装置３１を介し、商品／サービス登録／更新部３２を用いて、提供可能な商品／サービス情報の登録／更新処理を行う。ここで登録／更新される商品／サービス情報は、ネットワーク９を介して電子契約仲介サーバ２に転送され、省エネ商品ＤＢ２２ａ、通常商品ＤＢ２２ｂ，通常サービスＤＢ２２ｃに、商品／サービス登録部２１で分類された後、格納される。尚、本実施例において、商品／サービス情報には、商品／サービスの名称、番号、価格、商品／サービスの説明、商品／サービス管理情報等のテキストデータと、商品／サービスの画像データを含んでおり、また、商品／サービス提供クライアント３は、ネットワーク９を介さず、直接、電子契約仲介サーバ２と接続するようにしてもよい。しかして、商品／サービス提供クライアント３は、また、電子カタログの作成処理のため入出力装置３１を具え、登録／更新する商品／サービスに必要な名称、品目名、価格等のテキストデータ、及び、商品形状等を表示するイメージデータ等の作成が可能となっている。かかる入出力装置３１としては、キーボード、マウス、ＣＲＴ／液晶表示手段等を備えるパーソナルコンピュータのような情報処理機器を用いることができ、商品／サービス登録／更新部３２は、このような情報処理機器のメモリに格納されて実行されるプログラムにより実現することができる。
【０００６】
次に、電子契約仲介サーバ２には、ＷＷＷサーバ２０、商品／サービス登録部２１、省エネ商品ＤＢ２２ａ、通常商品ＤＢ２２ｂ，通常サービスＤＢ２２ｃ、契約処理部２４、表示情報生成部２６等が設けられ、契約処理部２４には、パラメータ解析部２４ａ、データ検索／統合部２４ｂ，契約内容作成部２４ｃ等が設けられている。しかして、ＷＷＷ（World  Wide  Web）サーバ／ＣＧＩ（Common  Gateway  Interface）２０は、契約先クライアント１との間のインタフェースとして機能し、契約先クライアント１から表示要求情報を受取り、要求された表示データを転送すると共に、契約先クライアント１からリース／クレジット／ローン及び／又はレンタルの契約見積要求情報を受取り、要求された契約見積データを転送するようになっている。また、商品／サービス登録部２１は、商品／サービス提供クライアント３から出力された提供可能な商品／サービス情報を受付け、それぞれ所定の基準に従って分類し、省エネ商品ＤＢ２２ａ、通常商品ＤＢ２２ｂ，通常サービスＤＢ２２ｃに格納し、登録／更新処理するようになっている。さらに、省エネ商品ＤＢ２２ａには、本システムで提供可能な後述する省エネルギー装置の名称、価格等の情報と、その取付作業の時間／価格情報等が格納され、通常商品ＤＢ２２ｂには、上述の省エネルギー装置以外のいわゆる通常の販売商品の名称、価格等の情報が格納され、通常サービスＤＢ２２ｃには、上述の省エネルギーサービス以外のいわゆる通常の販売サービスの名称、価格等の情報が格納されるようになっている。次に、契約処理部２４には、パラメータ解析部２４ａ、データ検索／統合部２４ｂ，契約内容作成部２４ｃ等が設けられ、契約先クライアント１からリース／クレジット／ローン及び／又はレンタルの契約見積要求情報を受取り、パラメータ解析部２４ａにおいて、月々の光熱使用量及び／又は燃料使用量を収集して省エネルギー関係の情報を解析したり、データ検索／統合部２４ｂにおいて、上記使用量から月毎の光熱費／燃料費予定削減額を実現する省エネルギー装置代金Ａおよび取付作業代金Ｂの通常単独購入合計額（Ａ＋Ｂ）と、リース／クレジット／ローン及び／又はレンタルの契約予定期間内に実現可能な省エネルギー代金の総額Ｃを演算したり、これらの省エネルギー関連金額（Ａ＋Ｂ＋Ｃ）から、リース予定総額／クレジット予定総額／ローン予定総額及び／又はレンタル予定総額Ｄを演算したり、また、契約内容作成部２４ｃにおいて、上記リース予定総額／クレジット予定総額／ローン予定総額及び／又はレンタル予定総額Ｄで契約可能な、光熱費／燃料費削減サービスとは異なる商品及び／又はサービス内容を予め記憶している記憶部から抽出して提示したり、提示した商品及び／又はサービス内容から所望の商品／サービスを特定したり、この特定した商品及び／又はサービス内容を含み、かつ、上記光熱費／燃料費予定削減額を実現する装置代金および取付作業代金を含むリース契約／クレジット契約／ローン契約及び／又はレンタル契約を締結するようになっている。また、表示情報生成部２６では、契約先クライアント１からの契約見積要求に応じて、種々の表示情報を生成するようになっている。さらに、契約処理部２４では、リース／クレジット／ローン及び／又はレンタルの契約内容が特定されると、かかる契約内容を、契約元クライアント４に送信するようになっている。一方、契約元クライアント４では、契約処理部２４から、リース／クレジット／ローン及び／又はレンタルの契約内容が送信されると、かかる契約内容を確認すると共に、商品／サービス提供クライアント３に対しては、所定の決済処理機関５ａの口座に契約代金を一括して振込処理し、また、契約先クライアント１に対しては、所定の期間、月々、指定の決済処理機関５ｂの口座から、契約金額を引き落とす処理を実行するようになっている。尚、電子契約仲介サーバ２に関しても、パーソナルコンピュータ、ワークステーション等の情報処理機器を利用して実現でき、上述した各処理部、すなわち、ＷＷＷサーバ２０、商品／サービス登録部２１、契約処理部２４、表示情報生成部２６等は、実際には、情報処理機器が有するメモリ内にプログラムの形で格納されて実行される。
【０００７】
かかる構成において、リース／クレジット／ローン及び／又はレンタルの電子契約仲介システムの処理の工程を図２のフローチャートを参照しながら詳細に説明する。先ず、本発明の電子契約仲介システムで利用可能な省エネルギー装置としては、照明器具のインバータ駆動装置による光熱費の削減や、マイクロガスタービン発電機による光熱費／燃料費の削減、省エネルギー効果を高めた冷暖房装置による光熱費の削減、電流バランサーによる光熱費の削減、契約電力の変更用装置による光熱費の削減、ガス流量の低減装置による光熱費の削減、水道流量の低減装置による光熱費の削減、車両用燃料の効率化装置による燃料費の削減等を少なくとも１つ含む様々な省エネルギー関連製品／システムが、商品／サービス提供クライアント３により提供され、ネットワーク９を介して、順次、電子契約仲介サーバ２の所定のデータベース（記憶部を構成する）２２ａに商品／サービス登録部２１を介して登録／更新され、契約先クライアント１ａ〜１ｎにより、リース契約／クレジット契約／ローン契約及び／又はレンタル契約が可能となっている。また、商品／サービス提供クライアント３からは、通常の契約可能な商品及び／又は通常の契約可能なサービス内容として、宝石販売、健康増進機器、介護用品、ヨットを含む船舶、コンピュータ、ソフトウエア、自動車を含む車両、電気製品、携帯電話、建物、不動産、警備サービス、インターネット接続サービス、介護サービス、旅行サービス、保守サービス、家賃サービス等の少なくとも１つを含む商品／サービスが、提供され、ネットワーク９を介して、順次、電子契約仲介サーバ２の所定のデータベース２２ｂ，２２ｃに商品／サービス登録部２１を介して登録／更新され、契約先クライアント１ａ〜１ｎにより、リース契約／クレジット契約／ローン契約及び／又はレンタル契約が可能となっている。しかして、省エネルギー関連機器を低コストで導入したいユーザが、リース／クレジット／ローン及び／又はレンタル契約を試みようとした場合、販売店側の営業マンがラップトップコンピュータを携帯して導入希望ユーザの元に出張したり、導入希望ユーザが直接手元のコンピュータを操作して、契約先クライアント１の入出力装置１１より、電子契約仲介サーバ２のネットワーク（インターネット）９上のホームページのアドレスを特定するＵＲＬ（Uniform  Resource  Locator）を予め登録してあるバナーまたはサムネイルアイコンをマウスでクリックすると、契約先クライアント１では、このＵＲＬが指定する目的のホームページを表示するために、特定されたＵＲＬを含む表示要求ページ情報を、ＷＷＷブラウザ１０を経由して電子契約仲介サーバ２に送信する。すると、電子契約仲介サーバ２では、ＷＷＷサーバ２０が受信した表示要求ページ情報を処理し、契約処理部２４及び表示情報生成部２６が起動され、パラメータ解析部２４ａにより受信した表示要求ページ情報の解析を行い、図３に示すような電子契約仲介システムの初期化画面が生成され、ネットワーク９を介して契約先クライアント１ａに送信され、入出力装置１１の表示手段１１に初期化画面が表示される（図２のステップＳ２）。次に、契約先クライアント１ａでは、表示手段１１に表示されている���期化画面上で、マウスを移動させ、省エネルギー項目の選択ボタン（照明費ボタンｇ１，冷暖房費ボタンｇ２，燃料費ボタンｇ３）の少なくとも１つをクリックすると、その下に最近の各月毎の光熱費／燃料費の使用量（g5,g7,g9等の各欄）及び支払額（g6,g8,g10等の各欄）の入力メニューが年月日情報ｇ４と共に表示されるので、例えば、照明用の電力使用量と支払金額を少なくとも３ヶ月間のデータを収集し、入出力装置１１より入力する（図２のステップＳ４）。尚、上記エネルギー使用量／支払金額のデータ入力期間は、１２ヶ月以上の収集期間に対してデータ入力するのが、好ましい。また、上述の省エネルギー項目選択ボタンの中では、照明費ボタンｇ１が、季節変動が少なく、支払金額も比較的大きく、省エネルギー効果を上げやすい。その後、入力終了ボタンｇ１１をマウスでクリックすると、入力されたエネルギー使用量／支払金額のデータが、契約先クライアント１ａからネットワーク９を介して電子契約仲介サーバ２に送信され、契約処理部２４により解析される。かくして、月々の光熱使用量及び／又は燃料使用量並びに支払費用を収集する工程（ａ）が、終了する。
【０００８】
続いて、電子契約仲介サーバ２では、契約処理部２４のパラメータ解析部２４ａ及びデータ検索／統合部２４ｂにより、エネルギー使用量／支払金額のデータが解析され、例えば、入力された使用量の月毎の平均値データから、リース／クレジット／ローン及び／又はレンタルの契約をした場合の予定期間内に実現可能な省エネルギー代金の総額Ｃを演算する（ステップS6）と共に、かかる光熱費／燃料費予定削減額Ｃを実現する省エネルギー装置代金Ａおよび取付作業代金Ｂの通常単独購入合計額（Ａ＋Ｂ）を、省エネルギー商品ＤＢ２２ａを参照して演算する（ステップS8）。１例として、月々の省エネルギー代金ｃｔが約１３千円であると、７２ヶ月のリース契約期間ｔｎで光熱費予定削減額Ｃは、ｃｔ＊ｔｎ＝約９３６千円となり、光熱費予定削減額Ｃを実現する省エネルギー装置代金Ａは、約２５０千円、その取付作業代金Ｂは、約１００千円となる。かくして、光熱費予定削減額Ｃ、光熱費予定削減額Ｃを実現する省エネルギー装置代金Ａ、及び、その取付作業代金Ｂの候補が、少なくとも１つ以上演算できると、電子契約仲介サーバ２から、契約先クライアント１ａに対し、図４に示すような省エネルギー関連金額（Ａ＋Ｂ＋Ｃ）メニュー画面が送信され、ユーザにより省エネルギー装置ｇ３１乃至省エネルギー装置を複数組み合わせた省エネルギーシステムｇ３ｎのいずれか１つの選択ボタンがマウスによりクリックされ、今回の契約で採用する省エネルギーシステムが特定される（工程ｂ及びステップS９）。尚、図４の画面には、リース／クレジット／ローン及び／又はレンタルのいずれの種類の契約をするかを特定する契約種類選択ボタン群ｇ２０と、契約期間指定欄ｇ２１と、月々の光熱費／燃料費予定削減額表示欄ｇ２２と、光熱費／燃料費総予定削減額Ｃの表示欄ｇ２３と、省エネルギー装置名表示欄ｇ２４と、装置価格表示欄ｇ２５と、その取付作業代金Ｂの表示欄ｇ２６とが、それぞれ設けられ、左の列には、ユーザにより選択可能な省エネルギー装置１乃至省エネルギー装置を複数組み合わせた省エネルギーシステムｎのいずれか１つの選択ボタンｇ３１〜ｇ３ｎが、それぞれ表示されている。
【０００９】
かかる選択ボタンｇ３１〜ｇ３ｎの中から、ユーザにより、例えば、省エネルギー装置１の選択ボタンｇ３１が選択されて、マウスによりクリックされると、契約先クライアント１ａから電子契約仲介サーバ２に、省エネルギー装置特定／選択情報が送信され、電子契約仲介サーバ２では、省エネルギー装置特定／選択情報を受信すると、次に、契約処理部２４により、これらの省エネルギー関連金額（Ａ＋Ｂ＋Ｃ）から、リース予定総額／クレジット予定総額／ローン予定総額及び／又はレンタル予定総額Ｄを演算する（工程ｃ及びステップS１０）。かかる契約予定総額Ｄは、光熱費／燃料費予定削減額Ｃと同等か、予定削減額Ｃよりも少ない金額に設定すると、一般的には、契約先のユーザに好まれる。かくして、リース等の予定総額Ｄが、契約処理部２４により、設定されると、続いて、契約処理部２４により、省エネルギー装置以外のいわゆる通常の販売商品の名称、価格等の情報が格納されている通常商品ＤＢ２２ｂ、および、省エネルギーサービス以外のいわゆる通常の販売サービスの名称、価格等の情報が格納されている通常サービスＤＢ２２ｃが、それぞれアクセスされ、上述のリース等の予定総額Ｄで契約可能な商品／サービスが適宜選択され、月額の削減額別に統合され、図５に示すような選択メニューが生成されて、電子契約仲介サーバ２から、契約先クライアント１ａに送信される。かかる図５の選択メニュー画面には、省エネルギー装置代金Ａの表示欄ｊ１、取付作業代金Ｂ表示欄ｊ２と共に、契約期間内での月々の省エネルギー代金ｃｔの表示欄ｊ３が、設けられ、さらに、月々の省エネルギー代金ｃｔに対応して選択可能な通常の商品／サービスの選択ボタンｊ４〜ｊ９が、所定の価格範囲で、複数個設けられている。上述の例で、月々の省エネルギー代金ｃｔが、例えば、約１３千円の場合、マウスを操作して、契約先ユーザが選択ボタンｊ５をクリックすると、この選択情報が契約先クライアント１ａから電子契約仲介サーバ２に送信され、契約処理部２４では、月々の支払額に対応して選択可能な通常の商品／サービスの選択／特定一覧表が、図６のメニュー画面のように生成され、ネットワーク９を介して契約先クライアント１ａに送信され、所定の表示手段に表示される。かかる図６の通常の商品／サービスの選択／特定一覧表画面には、月額表示欄ｋ１と、通常の商品１（この画面では、宝石）の選択／特定欄ｋ２および個々の商品名選択アイコンｍ１，ｍ２，ｍ３が設けられ、通常の商品２（この画面では、コンピュータ）の選択／特定欄ｋ３および個々の商品名選択アイコンｎ１，ｎ２，ｎ３が設けられ、以下、同様にして種々の利用可能商品欄が設けられていると共に、通常のサービス１（この画面では、旅行サービス）の選択／特定欄ｋ５および個々の商品名選択アイコンｐ１，ｐ２，ｐ３が設けられ、通常のサービス２（この画面では、警備サービス）の選択／特定欄ｋ６および個々の商品名選択アイコンｑ１，ｑ２，ｑ３が設けられ、以下、同様にして種々の利用可能サービス欄が設けられている。そこで、図６のような通常の商品／サービスの選択／特定一覧表画面の中から、例えば、マウスを操作して、契約先ユーザが、通常のサービス２（この画面では、警備サービ��）の選択／特定欄ｋ６の商品名選択アイコンｑ２をクリックすると（ステップS１２）、この選択情報が契約先クライアント１ａから電子契約仲介サーバ２に送信され、契約処理部２４では、月々の支払額に対応して選択／特定された通常の商品／サービスの契約見積表が、図７のメニュー画面のように生成され、ネットワーク９を介して契約先クライアント１ａに送信され、所定の表示手段に表示される。かかる図７の通常の商品／サービスの契約見積表の画面では、契約の種類を表示する欄ｖ１と、契約期間の表示欄ｖ２と、提供する省エネルギー装置の仕様および代金を表示する欄ｖ３と、その取付作業代金の表示欄ｖ４と、契約期間中の省エネルギー削減金額ｃｔを表示する欄ｖ５と、実際に契約する通常商品／サービスの名称を表示する欄ｖ６と、その契約金額を表示する欄ｖ７と、消費税込みの現金契約額の表示欄ｖ８と、申込金表示欄ｖ９と、契約残金表示欄ｖ１０（=v8-v9）と、契約支払手数料の表示欄ｖ１１と、契約合計額表示欄ｖ１２（=v10+v11）と、契約支払総額表示欄ｖ１３（=v9+v12）と、契約期間表示欄ｖ１４と、契約同意ボタンｖ２０と、契約キャンセルボタンｖ２１等が設けられ、契約先ユーザが、マウス操作をして、契約同意ボタンｖ２０をクリックすると（ステップS１４）、かかる契約内容が、契約先クライアント１ａからネットワーク９を介して電子契約仲介サーバ２に送信され、電子契約仲介サーバ２では、契約処理部２４により、同意された契約内容が、リース／クレジット／ローン及び／又はレンタル等の契約元クライアント４に、ネットワーク９を介して伝送される（ステップS16）。
【００１０】
かくして、契約先ユーザが同意した契約内容が、電子契約仲介サーバ２から、リース／クレジット／ローン及び／又はレンタル等の契約元クライアント４に伝送されると、契約元クライアント４では、かかる契約内容を契約先ユーザに確認し（ステップS１８）、契約先ユーザの確認処理が終了すると、商品／サービス提供クライアント３に対して、別途登録されている所定の決済処理機関５ａの口座に契約代金を一括して振込処理し（ステップS20）、また、契約先クライアント１に対しては、所定の期間、月々、指定の決済処理機関５ｂの口座から、契約金額を引き落とす処理を実行するようになっている（ステップS２４）。尚、上述の商品／サービス提供クライアント３に対する契約代金の一括振込処理が確認されると、商品／サービス提供クライアント３は、契約先クライアントに対して、契約した仕様の省エネルギー装置を用意し、その取付作業を実施する。また、同時に契約された通常商品／サービスの提供も、開始する（ステップS２２）。かくして、この発明のリース／クレジット／ローン及び／又はレンタルの電子契約仲介システムによれば、契約先ユーザ１ａ〜１ｎは、光熱費／燃料費の予定削減額を負担するだけで、別途通常の販売商品／サービスに対する契約記載額Ｄの商品／サービスを利用することができ、極めて、大きな利益が得られる。また、商品／サービス提供クライアント３は、より多くの顧客を獲得／紹介でき、リース／クレジット／ローン及び／又はレンタルの契約元クライアント４は、安全／確実な、リース契約先／クレジット契約先／ローン契約先及び／又はレンタル契約先を獲得することができ、産業の発展に非常に有益である。
【００１１】
【発明の効果】
以上のように、この発明のリース／クレジット／ローン及び／又はレンタルの電子契約仲介システムによれば、少しでも当面の支出を少なくしたい中小企業者には、省エネルギー装置の購入及び取付作業を含むサービスの費用を追加負担するだけで、エネルギー低減額と同程度の額の付加サービスの利用も可能とすることができ、省エネルギー装置及び取付作業を含むサービスを提供する企業には、より多くの顧客を獲得／紹介でき、リース／クレジット／ローン及び／又はレンタルの契約元の会社には、安全／確実な、リース契約先／クレジット契約先／ローン契約先及び／又はレンタル契約先を提供することができ、産業の発展に非常に有益である。
【図面の簡単な説明】
【図１】この発明の電子契約仲介システム全体の構成を示すブロック図の１例である。
【図２】その動作の１例を示すフローチャートである。
【図３】この発明の省エネルギー契約初期化画面の１例である。
【図４】この発明の省エネルギー項目選択画面の１例である。
【図５】その月額選択画面の１例である。
【図６】この発明の通常商品／サービス選択画面の１例である。
【図７】この発明の契約見積画面の１例である。
【符号の説明】
１ａ，１ｂ，．．．，１ｎ  契約先クライアント
１１  入出力装置
２  電子契約仲介サーバ
２２ａ，２２ｂ，２２ｃ  データベース
２４  契約処理部
３  商品／サービス提供クライアント
４  契約元クライアント
【図１】
0004550966.tif 000002
【図２】
0004550966.tif 000003
【図３】
0004550966.tif 000004
【図４】
0004550966.tif 000005
【図５】
0004550966.tif 000006
【図６】
0004550966.tif 000007
【図７】
0004550966.tif 000008